(57)【要約】      （修正有）【課題】リアクタ周囲に金属材料を設けた冷蔵庫の振動を低減することができる冷蔵庫を提供する。【解決手段】制御基板９と、制御基板９に電気的に接続したリアクタ１２と、制御基板９及びリアクタ１２を収納する空間としての制御基板収納部１０と、を有する冷蔵庫であって、リアクタ１２は、長手方向及び短手方向を有し、制御基板収納部１０は、前側に向かうにつれて上方に向かうよう傾斜した底部と、金属製の蓋部１４と、を有し、リアクタ１２の短手方向を前後方向に略平行に配した。【選択図】図４
2019124404.tif 000002
【特許請求の範囲】
【請求項１】
制御基板と、
該制御基板に電気的に接続したリアクタと、
前記制御基板及び前記リアクタを収納する空間としての制御基板収納部と、を有する冷蔵庫であって、
前記リアクタは、長手方向及び短手方向を有し、
前記制御基板収納部は、前側に向かうにつれて上方に向かうよう傾斜した底部と、金属製の蓋部と、を有し、
前記リアクタの短手方向を前後方向に略平行に配したことを特徴とする冷蔵庫。
【請求項２】
前記制御基板及び前記リアクタは、左右方向に並んで配されており、
前記制御基板の前後寸法の中央よりも後側に前記リアクタが配されていることを特徴とする請求項１に記載の冷蔵庫。
【発明の詳細な説明】
【技術分野】
【０００１】
本発明は、冷蔵庫に関する。
【背景技術】
【０００２】
圧縮機モータの可変速を目的に、商用電源を直流電圧に変換するコンバータ回路を設けることが知られている。コンバータ回路には、多くの場合ダイオードブリッジと平滑用電解コンデンサが配される。しかし、平滑用電解コンデンサを設けるのみでは高調波成分の影響を低減することが困難であることから、ダイオードブリッジと平滑用の電解コンデンサの前段にリアクタを設置することが知られている。
【０００３】
しかしながら、このリアクタは、特に小形になるにつれて通電時に漏れ磁束を発生させる。リアクタ付近に、例えば板状の金属が配されている場合、漏れ磁束が金属に干渉して異音を発生させることがある。
【０００４】
この漏れ磁束による異音発生の対策として、特許文献１は、リアクタと基板ケースカバー２の間に防振形状の金属カバー１４を設けている。
【先行技術文献】
【特許文献】
【０００５】
【特許文献１】特開平１１−１０２８２５号公報
【発明の概要】
【発明が解決しようとする課題】
【０００６】
特許文献１のように基板ケースカバー２とは別の金属部材を用いると、リアクタ等を収納する領域が大形化する。リアクタ等を例えば冷蔵庫に設ける場合、冷蔵庫の収納室領域が減少してしまうことになる。
【課題を解決するための手段】
【０００７】
上記事情に鑑みてなされた本発明は、制御基板と、該制御基板に電気的に接続したリアクタと、前記制御基板及び前記リアクタを収納する空間としての制御基板収納部と、を有する冷蔵庫であって、前記リアクタは、長手方向及び短手方向を有し、前記制御基板収納部は、前側に向かうにつれて上方に向かうよう傾斜した底部と、金属製の蓋部と、を有し、前記リアクタの短手方向を前後方向に略平行に配したことを特徴とする。
【図面の簡単な説明】
【０００８】
【図１】実施例１の冷蔵庫の正面図
【図２ａ】実施例１の冷蔵庫のＸ−Ｘ断面図
【図２ｂ】実施例１の冷蔵庫の蓋部を除いた状態の上面図
【図３】図２ａの制御基板収納部の拡大図
【図４】実施例１の制御基板収納部に収納された部材の分解斜視図
【図５】実施例１の制御基板収納部の上面図
【図６】別の制御基板収納部の上面図
【図７】実施例１の制御基板収納部に収納された制御基板載置部材の上面図
【図８】実施例１の制御基板収納部に誤組付された制御基板載置部材の上面図
【図９】別の制御基板収納部に収納された制御基板載置部材の上面図
【図１０】実施例２の制御基板収納部の上面図
【図１１】実施例２の制御基板収納部に収納された制御基板載置部材の上面図
【図１２】別の制御基板収納部の上面図
【図１３】別の制御基板収納部に収納された制御基板載置部材の上面図
【発明を実施するための形態】
【０００９】
以下、本発明の実施例について添付の図面を参照しつつ説明する。
【実施例１】
【００１０】
図１は本実施例の冷蔵庫１の正面図、図２ａは本実施例の冷蔵庫１のＸ−Ｘ断面図、図２ｂは本実施例の冷蔵庫１の蓋部１４を除いた状態の上面図（制御基板９省略）である。
［冷蔵庫１］
冷蔵庫１は食品を保管するための貯蔵室をそれぞれ前側の扉によって開閉可能に複数備えており、本実施例では冷蔵室２、冷凍室３，４，５及び野菜室６を上から順に備えている。冷蔵室２の背面上方には、制御基板収納部１０が設けられている。
【００１１】
冷蔵庫１の背面内部には、例えば三相交流電力を供給可能な電動機によって駆動される圧縮機７、冷蔵庫１内の冷気を循環させるファン用電動機８、圧縮機７の電動機やファン用電動機８を駆動及び制御する制御基板９、各貯蔵室の温度を検出する室内温度センサ、及び冷凍サイクル要素などから構成されている。
【００１２】
冷凍サイクル要素は周知の通り圧縮機７、凝縮器、膨張弁、蒸発器、及び冷媒配管等から構成されており、これらの構成部品は主に冷蔵庫１の背面側、及び側面側に配置されている。本実施例では、冷蔵庫１の扉に平行な向きであって重力方向に垂直な方向を左右、重力方向を下、重力方向に反対の方向を上、扉に垂直な向きを前後とする。
【００１３】
［制御基板収納部１０，１００］
図３は本実施例の制御基板収納部１０の拡大図、図４は本実施例の制御基板収納部１０に収納された部材の分解斜視図、図５は本実施例の制御基板収納部１０の上面図である。
冷蔵庫１は、貯蔵室２−６のうち最も上側に位置する冷蔵室２より背面上側に、制御基板９及びリアクタ１２、並びに制御基板９及びリアクタ１２を載置する制御基板載置部材１３を収納するスペースとしての制御基板収納部１０を有する。
【００１４】
制御基板収納部１０は、制御基板載置部材１３を載置する底部を構成する後側底部１０１及び前側底部１０２と、底部１０１，１０２に対向する面を有する金属製の蓋部１４と、側面部１１とで囲まれており、制御基板載置部材１３の固定に用いられる被固定部１０５，１０６が底部１０１に設けられている。このうち、後述の基板載置部１３１側の被固定部の符号を１０５、リアクタ載置部１３２側の被固定部の符号を１０６とする。被固定部１０５，１０６としては、例えば、後述する孔１５１，１５２（基板側孔又は第１側孔）または孔１６１，１６２（リアクタ側孔又は第２側孔）に挿通可能な突起や、孔１５１，１５２，１６１，１６２とともにボルトが挿通されるボルトの挿通孔にすることができる。
【００１５】
底部１０１，１０２は、それぞれ前側に向かうにつれて上方に向かう方向に傾斜しており、互いに傾斜具合が異なっている。一方、蓋部１４は略水平方向に延在するように配されている。このため、制御基板収納部１０の空間は、前側に向かうにつれて高さ寸法が小さくなるように形成されている。
【００１６】
本実施例では、後側底部１０１の傾斜の方が前側底部１０２の傾斜より緩やかであり、後側底部１０１に制御基板載置部材１３が載置されている。このように、制御基板９及びリアクタ１２の設置スペースを或る傾斜で確保しつつ、残りのスペースについては傾斜を増すことで、貯蔵室の内容積を確保（図３中、符号２００が指す領域）するように構成できる。底部１０１，１０２を滑らかに繋ぐことで、底部１０１，１０２に沿わせて、好ましくは一の真空断熱材（不図示）を配することができる点でも好ましい。
【００１７】
図６は別の制御基板収納部１００の上面図、図７は本実施例の制御基板収納部１０に制御基板載置部材１３を取付けた状態の上面図である。ここで、別の冷蔵庫の制御基板収納部１００として、制御基板収納部１０に比して被固定部の位置が異なるものを冷蔵庫１と同時期に製造することができる。すなわち、制御基板収納部１００の被固定部１００５，１００６の位置は、被固定部１０５，１０６に比してやや前方に位置している。出願人は、このように多種類の冷蔵庫を製造する場合に、各種の冷蔵庫にできる限り共通の制御基板載置部材１３を設計しつつ、その組付けを正常に行えるようにしたものである。この点は後述する。
【００１８】
［制御基板９及びリアクタ１２］
制御基板９は、冷蔵庫１の圧縮機７をはじめとする各種の電動機器や電動部材の動作を制御する制御部を有する。制御基板９には、別体のリアクタ１２が電気的に接続している。
【００１９】
［制御基板載置部材１３］
制御基板載置部材１３は、制御基板９を載置する基板載置部１３１とリアクタ１２を載置するリアクタ載置部１３２とを有しており、これらが左右方向に並んで形成されている。基板載置部１３１の長手方向とリアクタ載置部１３２の長手方向とのそれぞれは、左右方向に略平行に形成されており、これが制御基板載置部材１３の長手方向と略平行になっている。すなわち、リアクタ１２の短手方向は、上述した底部の傾斜方向（前後方向）に略平行である。
【００２０】
ここでいう「略平行」とは、互いに直交する第１の方向と第２の方向（ここでは前後方向と左右方向）それぞれとの間でなす角度を比較した場合、第１の方向との間になす角度の方が第２の方向との間になす角度よりも小さい場合に「第１の方向に略平行」であると表現するものと解釈でき、より好ましくは略第１の方向を向いていることを表現するものと解釈できる。略第１の方向とは、例えば、第１の方向との間でなす角度が１０°以下又は５°以下であると解釈できる。
【００２１】
制御基板載置部材１３の長手方向について、基板載置部１３１側には孔１５１，１５２が、リアクタ載置部１３２側には孔１６１，１６２が設けられている。
【００２２】
孔１５１，１５２は、左右方向位置について略同じ位置であり、孔１６１，１６２は互いに孔１６１，１６２の左右方向寸法１つ分以上ずれている。また、前後方向について、孔１５１，１６１は略同じ位置、孔１５２，１６２は略同じ位置である。
【００２３】
また、制御基板載置部材１３は、誤組付報知部１７１としての構造物を有している。孔１５１，１５２，１６１，１６２及び誤組付報知部１７１については後述する。
【００２４】
（制御基板９とリアクタ１２との関係）
制御基板載置部材１３は、制御基板９の長手方向及びリアクタ１２の長手方向が、それぞれ左右方向に略平行になるように形成されている。
【００２５】
リアクタ１２の長手方向を左右方向に略平行に配することで、リアクタ１２と蓋部１４との特に上下方向距離を離間させることができる。リアクタ１２は電流が流れることで磁束を発生させるところ、蓋部１４との離間を確保できれば蓋部１４が磁束に起因して振動することを抑制できる。なお、リアクタ１２の高さ寸法は、制御基板９の高さ寸法よりも高い。
また、制御基板９の長手方向を左右方向に略平行に配することで、制御基板９に高さ寸法のある回路要素が配されたとしても、蓋部１４に接触することを抑制できる。
【００２６】
制御基板９の短手方向寸法は、リアクタ１２の短手方向寸法よりも長いところ、本実施例のリアクタ載置部１３２は、短手方向について、制御基板載置部１３の中央よりも後側に形成されている。これにより、リアクタ１２をより後側に配することができるので、蓋部１４との離間をさらに確保しやすくなる。
【００２７】
［誤組付を報知する構造］
図７は制御基板載置部材１３の孔のうち、被固定部１０５，１０６を利用して孔１５１，１６１を固定することで正常に組付けることができるものである。この状態のとき、孔１５１，１５２間の距離Ａと、誤組付報知部１７１及び制御基板収納部１０の後方の壁面との距離ａについて、不等式ａ＜Ａが成立する。
【００２８】
図８は、本実施例の制御基板載置部材１３の孔のうち、孔１５１に代えて孔１５２を固定しようとした、いわゆる誤組付け状態の上面図である。出願人が検討するような状況、すなわち多種類の冷蔵庫を製造する者は、各種の冷蔵庫にできる限り共通の制御基板載置部材１３を用意すべく、冷蔵庫１が持つ被固定部１０５，１０６に対応する孔（例えば孔１５１，１６１）や、別の種類の冷蔵庫が持つ被固定部１００５，１００６に対応する孔（例えば孔１５２，１６２）を設けることが好ましい。この場合、例えば、冷蔵庫１の組付者が誤って、孔１５２，１６２に被固定部１０５，１０６を対応させようとする事態が想定される。このとき、制御基板載置部材１３の誤組付け報知部１７１が制御基板収納部１０の壁面に接触することで、孔１５２への被固定部１０５の取付を妨害することで、組付者に誤組付けしようとしている旨を報知することができる。
【００２９】
なお、図示省略するが、孔１６１に代えて孔１６２を被固定部１０６で固定しようとした場合は、孔１６１，１６２間の距離Ｂと、誤組付報知部１７１及び制御基板収納部１０右方の壁面との距離ｂについて、不等式ｂ＜Ｂが成立しているため、やはり誤組付けを妨害することができる。誤組付報知部１７１は、例えば薄い板状にすることができる。
【００３０】
一方、図９は別の基板収納部１００について本実施例の制御基板載置部材１３を正常に組付けた状態の上面図である。誤組付報知部１７１は、次の２つの不等式も満たすことが好ましい。ここでは孔１５２，１６２に被固定部１００５，１００６が対応している。本実施例の誤組付報知部１７１は、別の基板収納部１００に制御基板載置部材１３が正常に組付けられる場合について、上述の距離Ａと、誤組付報知部１７１と基板収納部１００の右方の壁面との距離ａ２について、ａ２＜Ａが成立する。
【００３１】
また、上述の距離Ｂと、誤組付報知部１７１及び制御基板収納部１０後方の壁面との距離ｂ２について、不等式ｂ２＜Ｂが成立する。
【実施例２】
【００３２】
本実施例の構成は、次の点を除き実施例１と同様にできる。本実施例では、制御基板載置部材１３に取付けていた誤組付報知部１７１に代えて、制御基板収納部１０に固定した誤組付報知部１７２又は１７３を有する。誤組付報知部１７２としては、上下方向に突出したリブ等にすることができる。
図１０は本実施例の制御基板収納部１１の正面図、図１１は本実施例の制御基板収納部１１に収納された制御基板載置部材１３の上面図、図１２は別の制御基板収納部１０１０の上面図、図１３は別の制御基板収納部１０１０に収納された制御基板載置部材１３の上面図である。本実施例の場合は、本来対応させるべき孔と被固定部との組合せを誤った場合に誤組付報知部１７２又は１７３が制御基板載置部材１３の端面に接触することで誤組付け報知する。
【００３３】
より具体的には、誤組付報知部１７２又は１７３は、次の少なくとも何れかを満たすように構成されている。
第１に、基板収納部１０に設けられている場合、上記の距離Ａと、誤組付報知部１７２と制御基板載置部材１３右方の端面との距離ｂ３について、不等式ｂ３＜Ａが成立する。第２に、基板収納部１０に設けられている場合、上記の距離Ｂと、誤組付報知部１７２と制御基板載置部材１３の孔１５１を設けた部分の端面との距離ａ３について、不等式ａ３＜Ｂが成立する。
【００３４】
第３に、基板収納部１０１０に設けられている場合、上記の距離Ａと、誤組付報知部１７２と制御基板載置部材１３右方の端面との距離ａ４について、不等式ａ４＜Ａが成立する。第２に、基板収納部１０に設けられている場合、上記の距離Ｂと、誤組付報知部１７３と制御基板載置部材１３の孔１５１を設けた部分の端面との距離ｂ４について、不等式ｂ４＜Ｂが成立する。
【００３５】
また、誤組付報知部１７２，１７３は、基板収納部１０１０を構成する側面（上面図における辺に想到すると考えることができる）のうち、１つに近く他の側面から比較的遠くに設けられている。すなわち、誤組付報知部１７２，１７３は、基板収納部１０１０の角以外の領域に設けられている。これにより、制御基板載置部材１３周囲に配線（不図示）を這わせている場合に、配線が制御基板載置部材１３と側面とによって挟まれて破損等することを抑制できる。
【００３６】
［包含される技術的思想］
本願は、次の技術的思想を包含する。
（思想１）
制御基板と、
該制御基板に電気的に接続したリアクタと、
前記制御基板及び前記リアクタを収納する空間としての制御基板収納部と、を有する冷蔵庫であって、
前記リアクタは、長手方向及び短手方向を有し、
前記制御基板収納部は、前側に向かうにつれて上方に向かうよう傾斜した底部と、金属製の蓋部と、を有し、
前記リアクタの短手方向を前後方向に略平行に配したことを特徴とする冷蔵庫。
【００３７】
（思想２）
前記制御基板及び前記リアクタは、左右方向に並んで配されており、
前記制御基板の前後寸法の中央よりも後側に前記リアクタが配されていることを特徴とする思想１に記載の冷蔵庫。
【００３８】
（思想３）
制御基板と、
該制御基板を収納する空間としての制御基板収納部と、を有する冷蔵庫であって、
前記制御基板の長手方向と略平行な方向に長手方向を有し、前記制御基板を載置可能な制御基板載置部材を有し、
該制御基板載置部材の長手方向に対向して、前記制御基板側に設けられた２つの第１側孔及び前記制御基板載置部材を介して該第１側孔に対向する位置に設けられた２つの第２側孔と、を有し、
前記第１側孔の一方及び前記第２側孔の一方それぞれに対応する被固定部と、
構造物としての誤組付報知部とを有し、
該誤組付報知部は、前記被固定部が前記第１側孔の他方又は前記第２側孔の他方に対応させられた又は対応させられようとした場合は、前記制御基板収納部の壁面又は前記制御基板載置部材の端面に接触するよう形成されていることを特徴とする冷蔵庫。
【００３９】
（思想４）
前記誤組付報知部は、前記被固定部が前記第１側孔の他方又は前記第２側孔の他方に対応させられた又は対応させられようとした場合は、前記制御基板収納部の角部以外の領域で接触するよう形成されていることを特徴とする思想３に記載の冷蔵庫。
【００４０】
（思想５）
制御基板を載置可能な制御基板載置部材であって、
当該制御基板載置部材の長手方向に対向して、前記制御基板側に設けられた２つの第１側孔及び前記制御基板載置部材を介して該第１側孔に対向する位置に設けられた２つの第２側孔と、
構造物としての誤組付報知部と、を有することを特徴とする制御基板載置部材。
【符号の説明】
【００４１】
１・・・冷蔵庫
２・・・冷蔵室（貯蔵室）
３，４，５・・・冷凍室（貯蔵室）
６・・・野菜室（貯蔵室）
９・・・制御基板
１０，１００，１０１０・・・制御基板収納部
１０１・・・後側底部
１０２・・・前側底部
１０５，１０６・・・被固定部
１５１，１５２・・・孔（基板側孔又は第１側孔）
１６１，１６２・・・孔（リアクタ側孔又は第２側孔）
１２・・・リアクタ
１３・・・制御基板載置部材
１１・・・側面部
１４・・・蓋部
１７１，１７２，１７３・・・誤組付報知部
【図１】
2019124404.tif 000003
【図２ａ】
2019124404.tif 000004
【図２ｂ】
2019124404.tif 000005
【図３】
2019124404.tif 000006
【図４】
2019124404.tif 000007
【図５】
2019124404.tif 000008
【図６】
2019124404.tif 000009
【図７】
2019124404.tif 000010
【図８】
2019124404.tif 000011
【図９】
2019124404.tif 000012
【図１０】
2019124404.tif 000013
【図１１】
2019124404.tif 000014
【図１２】
2019124404.tif 000015
【図１３】
2019124404.tif 000016